(57)【要約】【課題】保護板と表示パネルとの取り付け位置の誤差が抑制される表示装置の製造方法の提供。【解決手段】フレームに、表示パネルを該フレームの内側に備えた場合、該表示パネルの隣り合う二つの側面の一部をそれぞれ露出させる、少なくとも二以上の切欠きを形成する工程と、表示パネルを前記フレームの内側に固定して、表示パネルとフレームとが一体となった表示ユニットを形成する工程と、表示ユニットを構成するフレームに備えられた複数の切欠きに固定具を挿通し、該固定具を表示パネルの側面に当接させて、表示ユニットを構成する表示パネルの位置を直接固定する工程と、表示パネル固定工程によって直接固定された表示パネルの位置に基づいて、保護板の備える位置を決定する工程と、を含む。【選択図】図１
2015081977.tif 000002
【特許請求の範囲】
【請求項１】
表示面を有する矩形の表示パネルと、前記表示パネルの表示面側に備えられる保護板と、前記表示パネルを内側に備え該表示パネルの位置を固定し、少なくとも一部を前記表示パネルと前記保護板との間に介在させるフレームと、を含む表示装置の製造方法であって、
前記フレームに、前記表示パネルを該フレームの内側に備えた場合、該表示パネルの隣り合う二つの側面の一部をそれぞれ露出させる、少なくとも二以上の切欠きを形成する、切欠き形成工程と、
前記表示パネルを前記フレームの内側に固定して、前記表示パネルと前記フレームとが一体となった表示ユニットを形成する、表示ユニット形成工程と、
前記表示ユニットを構成する前記フレームに備えられた複数の切欠きに固定具を挿通し、該固定具を前記表示パネルの側面に当接させて、前記表示ユニットを構成する前記表示パネルの位置を直接固定する、表示パネル固定工程と、
前記表示パネル固定工程によって直接固定された前記表示パネルの位置に基づいて、前記保護板の備える位置を決定する、保護板位置決め工程と、を含む
表示装置の製造方法。
【請求項２】
前記切欠き形成工程は、前記フレームに、前記表示パネルを内側に備えた場合、該表示パネルの隣り合う二つの側面の、一の側面の一部を露出させる少なくとも二以上の切欠きと、他の側面の一部を露出させる少なくとも一以上の切欠きと、を形成する、
請求項１に記載の表示装置の製造方法。
【請求項３】
前記保護板位置決め工程は、前記表示パネル固定工程にて前記表示パネルの位置を直接固定する前記固定具を用いて、前記保護板の備える位置を決定する、
請求項１又は２に記載の表示装置の製造方法。
【請求項４】
前記保護板位置決め工程によって前記保護板の備える位置を決定した後、前記保護板と、前記表示パネル及び／又は前記フレームと、を固定する、保護板固定工程を更に含む、
請求項１乃至３いずれか一項に記載の表示装置の製造方法。
【請求項５】
前記フレームは、前記表示パネルと前記保護板との間に介在させる部分を含む第一フレームと、前記表示パネルの前記表示面とは反対側に備えられる第二フレームと、からなり、
前記切欠き形成工程は、前記第一フレームおよび前記第二フレームのいずれか一方に、該表示パネルの隣り合う二つの側面の一部をそれぞれ露出させる少なくとも二以上の切欠きを形成する、
請求項１乃至４のいずれか一項に記載の表示装置の製造方法。
【請求項６】
前記フレームは、前記表示パネルと前記保護板との間に介在させる部分を含む第一フレームと、前記表示パネルの前記表示面とは反対側に備えられる第二フレームと、からなり、
前記切欠き形成工程は、前記第一フレームおよび前記第二フレームのいずれか一方に、前記表示パネルを内側に備えた場合、該表示パネルの隣り合う二つの側面の、一の側面の一部を露出させる少なくとも二以上の切欠きと、他の側面の一部を露出させる少なくとも一以上の切欠きと、を形成する、
請求項１乃至４のいずれか一項に記載の表示装置の製造方法。
【請求項７】
表示面を有する矩形の表示パネルと、
前記表示パネルの表示面側に備えられる保護板と、
前記表示パネルを内側に備え該表示パネルの位置を固定し、少なくとも一部を前記表示パネルと前記保護板との間に介在させるフレームと、を含み、
前記フレームは、前記表示パネルを内側に備えた場合、該表示パネルの隣り合う二つの側面の一部をそれぞれ露出させる少なくとも二以上の切欠きを備える、
表示装置。
【請求項８】
前記フレームは、前記表示パネルを内側に備えた場合、該表示パネルの隣り合う二つの側面の、一の側面の一部を露出させる少なくとも二以上の切欠きと、他の側面の一部を露出させる少なくとも一以上の切欠きを備える、
請求項７に記載の表示装置。
【請求項９】
前記フレームは、前記表示パネルと前記保護板との間に介在させる部分を含む第一フレームと、前記表示パネルの前記表示面とは反対側に備えられる第二フレームと、からなり、
前記第一フレームおよび前記第二フレームのいずれか一方は、該表示パネルの隣り合う二つの側面の一部をそれぞれ露出させる少なくとも二以上の切欠きを備える、
請求項７又は８に記載の表示装置。
【請求項１０】
前記フレームは、前記表示パネルと前記保護板との間に介在させる部分を含む第一フレームと、前記表示パネルの前記表示面とは反対側に備えられる第二フレームと、からなり、
前記第一フレームおよび前記第二フレームのいずれか一方は、前記表示パネルを内側に備えた場合、該表示パネルの隣り合う二つの側面の、一の側面の一部を露出させる少なくとも二以上の切欠きと、他の側面の一部を露出させる少なくとも一以上の切欠きと、備える、
請求項７又は８に記載の表示装置。
【発明の詳細な説明】
【技術分野】
【０００１】
本発明は、表示装置及びその製造方法に関する。
【背景技術】
【０００２】
近年、表示パネルからの光漏れを抑制するために、表示パネルと該表示パネルの表示面側に備えられる保護板との間に、該表示パネルを内側に備え該表示パネルの位置を固定するフレームの一部を介在させる構造が採用されつつある。
【０００３】
特許文献１には、表示パネルと、該表示パネルを保持する金属フレームと、該表示パネルの前面に接着剤で貼付けられるフロントウィンドウとを有する表示装置において、該フロントウィンドウは該金属フレームの前面の一部を覆うように配置され、該金属フレームの一部であり、該フロントウィンドウで覆われる領域には、該表示パネルと該フロントウィンドウとの間から溢れた接着剤を収容する収容部が形成されていることを特徴とする表示装置について開示がされている。
【先行技術文献】
【特許文献】
【０００４】
【特許文献１】特開２０１３−８８５２７号公報
【発明の概要】
【発明が解決しようとする課題】
【０００５】
このような光漏れを抑制する構造を有する表示装置は、はじめにフレームと該フレームの内側に備えられた表示パネルとが一体となった表示ユニットを形成し、該表示ユニットの外側に備えられたフレームの位置を固定し、表示パネルの表示面側に備える保護板の位置を決定することとなる。
【０００６】
また、保護板の縁には表示パネルの表示面に対応するように、遮光印刷が施されていることが多く、保護板は表示面に対し予め定められた位置に正確に備えられることが求められる。仮に保護板の備えられる位置が表示面に対してずれてしまうと、本来表示パネルの表示される領域が保護板の遮光印刷に覆われてしまうこととなり、視認性が劣る表示装置となってしまうからである。
【０００７】
ここで、従来の表示装置においては、前述のように、はじめに表示パネルとフレームとが一体となった表示ユニットを形成し、該表示ユニットの外側に備えられたフレームの位置を固定し、表示パネルの表示面側に備える保護板の位置を決定することとなるが、表示パネルの形成における、フレーム内に表示パネルを取り付ける工程において、両者の位置がずれて取り付けられることも考えられる。
【０００８】
そして、フレームの位置を基準として、保護板を取り付ける工程においても、フレームと保護板との位置がずれて取り付けられることも考えられる。
【０００９】
このように、表示装置を構成する各部材が、各々の工程を経て備えられることによって、各部材同士の取り付け誤差が累積され、保護板と表示パネルとの位置のずれが大きなものとなる可能性が生じることとなる。
【００１０】
本発明の目的は、表示面を有する矩形の表示パネルと、前記表示パネルの表示面側に備えられる保護板と、前記表示パネルを内側に備え該表示パネルの位置を固定し、少なくとも一部を前記表示パネルと前記保護板との間に介在させるフレームと、を含む表示装置であって、保護板と表示パネルとの取り付け位置の誤差が抑制される表示装置、およびその製造方法を提供することを目的とする。
【００１１】
また、本発明の前記ならびにその他の目的と新規な特徴は、本明細書の記述および添付図面によって明らかにする。
【課題を解決するための手段】
【００１２】
上記課題を解決するための本発明に係る表示装置の製造方法は、表示面を有する矩形の表示パネルと、前記表示パネルの表示面側に備えられる保護板と、前記表示パネルを内側に備え該表示パネルの位置を固定し、少なくとも一部を前記表示パネルと前記保護板との間に介在させるフレームと、を含む表示装置の製造方法であって、前記フレームに、前記表示パネルを該フレームの内側に備えた場合、該表示パネルの隣り合う二つの側面の一部をそれぞれ露出させる、少なくとも二以上の切欠きを形成する、切欠き形成工程と、前記表示パネルを前記フレームの内側に固定して、前記表示パネルと前記フレームとが一体となった表示ユニットを形成する、表示ユニット形成工程と、前記表示ユニットを構成する前記フレームに備えられた複数の切欠きに固定具を挿通し、該固定具を前記表示パネルの側面に当接させて、前記表示ユニットを構成する前記表示パネルの位置を直接固定する、表示パネル固定工程と、前記表示パネル固定工程によって直接固定された前記表示パネルの位置に基づいて、前記保護板の備える位置を決定する、保護板位置決め工程と、を含むことを特徴とする。
【００１３】
また、上記課題を解決するための本発明に係る表示装置は、表示面を有する矩形の表示パネルと、前記表示パネルの表示面側に備えられる保護板と、前記表示パネルを内側に備え該表示パネルの位置を固定し、少なくとも一部を前記表示パネルと前記保護板との間に介在させるフレームと、を含み、前記フレームは、前記表示パネルを内側に備えた場合、該表示パネルの隣り合う二つの側面の一部をそれぞれ露出させる少なくとも二以上の切欠きを備える、ことを特徴とする。
【発明の効果】
【００１４】
本発明によって、表示面を有する矩形の表示パネルと、前記表示パネルの表示面側に備えられる保護板と、前記表示パネルを内側に備え該表示パネルの位置を固定し、少なくとも一部を前記表示パネルと前記保護板との間に介在させるフレームと、を含む表示装置であって、保護板と表示パネルとの取り付け位置の誤差が抑制される表示装置、およびその製造方法が提供される。
【図面の簡単な説明】
【００１５】
【図１】本発明に係る表示装置の分解斜視図である。
【図２】本発明に係る表示装置の一部分解断面図である。
【図３Ａ】本発明に係る表示装置の製造方法を説明する図であり。
【図３Ｂ】本発明に係る表示装置の製造方法を説明する図であり、表示ユニット形成工程について説明する図である。
【図３Ｃ】本発明に係る表示装置の製造方法を説明する図であり、表示パネル固定工程について説明する図である。
【図３Ｄ】本発明に係る表示装置の製造方法を説明する図であり、保護板位置決め工程について説明する図である。
【図４】本発明の変形例に係る表示装置の一部分解断面図である。
【発明を実施するための形態】
【００１６】
はじめに図１、２を参照して、本発明に係る表示装置の基本構成について説明する。図１は、本発明に係る表示装置の分解斜視図である。図２は、本発明に係る表示装置の一部分解断面図である。
【００１７】
図１に示されるように、本発明に係る表示装置１０は、表示面ＤＡを有する矩形の表示パネル２０と、前記表示パネル２０の表示面ＤＡ側に備えられる保護板３０と、前記表示パネル２０を内側に備え該表示パネル２０の位置を固定し、少なくとも一部を前記表示パネルと前記保護板３０との間に介在させるフレーム４０と、を含み、前記フレーム４０は、前記表示パネル２０を内側に備えた場合、該表示パネル２０の隣り合う二つの側面の一部をそれぞれ露出させる少なくとも二以上の切欠き４００を備える。
【００１８】
以下に、表示装置１０を構成する各部材について説明する。
【００１９】
表示パネル２０は、例えば液晶表示パネルであることとしてもよいし、有機エレクトロルミネッセンス表示パネルであることとしてもよい。
【００２０】
また、表示パネル２０は、画像が表示される表示面ＤＡ（図１における上面に相当）を有する。また、表示面ＤＡの表面には更に偏光板２２等が備えられていることとしてもよい。そして、表示パネル２０には、駆動回路を内蔵する集積回路等が搭載されており、外部の機器と電気的に接続されるフレキシブル配線基板２１が取り付けられている。
【００２１】
フレーム４０は、前述の表示パネル２０を内側に備え、該表示パネル２０の位置を固定する。図１においては、フレーム４０は、表示パネル２０と保護板３０との間に介在させる部分を含む第一フレーム４０ａと、表示パネル２０の表示面ＤＡとは反対側に備えられる第二フレーム４０ｂと、からなるものであり、表示パネル２０を表示面ＤＡ側、表示面とは反対側の両方向から挟み込んで固定する。
【００２２】
なお、フレーム４０は図１にて示される態様の他に、一部材で構成され例えばフレームの一の側面側から表示パネル２０をスライドさせて挿入し、内側に表示パネル２０を備えるものであることとしてもよい。
【００２３】
フレーム４０は、内部に備える表示パネル２０を物理的な衝撃から守るため一定の物理特性を有することとしてもよく、また、表示パネル２０が発する熱によって自身が変形しないため耐熱性を有することとしてもよい。フレーム４０は、例えばポリカーボネート、ＡＢＳ樹脂等の石油系樹脂で形成されていることとしてもよいし、ステンレスやアルミニウム等の金属で形成されていることとしてもよい。
【００２４】
図１、２に示されるようにフレーム４０は、表示パネル２０を内側に備えた場合、該表示パネル２０の隣り合う二つの側面の、一の側面の一部を露出させる少なくとも二以上の切欠き４００（例えば図１における切欠き４００ａ、４００ｂ）と、他の側面の一部を露出させる少なくとも一以上の切欠き４００（例えば図１における切欠き４００ｃ、４００ｄ）を備える。
【００２５】
なお、表示パネル２０を内側に備えた場合、該表示パネル２０の隣り合う二つの側面の、一の側面の一部を露出させる少なくとも二以上の切欠き４００は、フレーム４０においてフレキシブル配線基板２１を挿通させる切欠きとは異なるものである。
【００２６】
ここで、フレーム４０に形成される切欠き４００のそれぞれは、矩形の表示パネル２０の角部分（コーナー部分）を露出させない位置に形成されることが好ましい。切欠き４００が、矩形の表示パネル２０の角部分（コーナー部分）を露出させる位置に形成された場合、表示パネル２０のコーナー部分が何らかの理由によって外部から衝撃を受けた場合に、表示パネル２０のコーナー部分にクラックが生じ、表示パネル２０が損傷することが考えられるからである。
【００２７】
また、切欠き４００を、矩形の表示パネル２０の角部分（コーナー部分）を露出させる位置に形成させることは、すなわち、フレーム４０自身の角部分（コーナー部分）に切欠き４００を形成することとなり、フレーム４０のコーナー部分が切り欠かれることによって、フレーム強度の低下を引き起こすからが懸念されるからである。
【００２８】
また、フレーム４０は、表示パネル２０を内側に備えた場合、該表示パネル２０の隣り合う二つの側面の、一の側面の一部を露出させる少なくとも二以上（すなわち複数）の切欠き４００（例えば図１における切欠き４００ａ、４００ｂ）と、他の側面の一部を露出させる少なくとも一以上の切欠き４００（例えば図１における切欠き４００ｃ、４００ｄ）を備えることは、後に詳細に説明するが、該表示装置の製造方法において、フレーム４０に備えられた複数の切欠き４００に固定具を挿通し、該固定具を表示パネル２０の側面に当接させて、表示パネル２０の位置を直接固定する際に、強固に表示パネル２０の位置を固定することができ好ましい。
【００２９】
フレーム４０と、表示パネル２０との固定は、例えば、図２に示されるように、粘着層１００を介して実現されることとしてもよい。また、粘着層１００は、例えば、接着剤（熱硬化性、光硬化性接着剤）、粘着テープ等によって形成されることとしてもよい。
【００３０】
保護板３０は、表示パネル２０の表示面側を外部からの衝撃等から保護するために用いられる。保護板３０は、表示パネル２０の視認性を低下させないためにも、透明材料によって形成される。保護板３０は例えば、ポリカーボネート等の透明樹脂や、ガラス等によって形成されることとしてもよい。
【００３１】
また、保護板３０の縁には、図１、２に示されるように表示パネル２０の表示面ＤＡに対応するように、遮光印刷３１が施されていることとしてもよい。このように、保護板３０の縁に遮光印刷３１が施されることによって、表示装置１０からの光漏れを低減でき好ましい。
【００３２】
保護板３０は、図１、２にて示されるように、光硬化樹脂層２００を介して、表示パネル２０及び／又はフレーム４０と、直接固定されることとしてもよい。あるいは、表示パネル２０上に他の薄膜（例えば、反射防止膜等）が形成される場合、保護板３０は、光硬化樹脂層２００を介して、該他の膜と直接固定され、表示パネル２０及び／又はフレーム４０と、間接的に固定されることとしてもよい。
【００３３】
本発明に係る表示装置は、表示面を有する矩形の表示パネルと、前記表示パネルの表示面側に備えられる保護板と、前記表示パネルを内側に備え該表示パネルの位置を固定し、少なくとも一部を前記表示パネルと前記保護板との間に介在させるフレームと、を含む表示装置であって、保護板と表示パネルとの取り付け位置の誤差が抑制されるものである。
【００３４】
以下に、本発明に係る表示装置の製造方法を説明する図である図３Ａ〜３Ｄを参照し、本発明に係る表示装置の製造方法を説明し、如何にして保護板と表示パネルとの取り付け位置の誤差が抑制される表示装置が製造されるかについて説明する。
【００３５】
本発明に係る表示装置の製造方法は、表示面を有する矩形の表示パネルと、前記表示パネルの表示面側に備えられる保護板と、前記表示パネルを内側に備え該表示パネルの位置を固定し、少なくとも一部を前記表示パネルと前記保護板との間に介在させるフレームと、を含む表示装置の製造方法であって、前記フレームに、前記表示パネルを該フレームの内側に備えた場合、該表示パネルの隣り合う二つの側面の一部をそれぞれ露出させる、少なくとも二以上の切欠きを形成する、切欠き形成工程と、前記表示パネルを前記フレームの内側に固定して、前記表示パネルと前記フレームとが一体となった表示ユニットを形成する、表示ユニット形成工程と、前記表示ユニットを構成する前記フレームに備えられた複数の切欠きに固定具を挿通し、該固定具を前記表示パネルの側面に当接させて、前記表示ユニットを構成する前記表示パネルの位置を直接固定する、表示パネル固定工程と、前記表示パネル固定工程によって直接固定された前記表示パネルの位置に基づいて、前記保護板の備える位置を決定する、保護板位置決め工程と、を含むものである。
【００３６】
はじめに、フレームに、表示パネルを該フレームの内側に備えた場合、該表示パネルの隣り合う二つの側面の一部をそれぞれ露出させる、少なくとも二以上の切欠きを形成する工程について説明する。
【００３７】
前述のように、フレーム４０は、内部に備える表示パネル２０を物理的な衝撃から守るため一定の物理特性を、また、表示パネル２０が発する熱によって自身が変形しないため耐熱性を有することとしてもよい。フレーム４０は、例えばポリカーボネート、ＡＢＳ樹脂等の石油系樹脂で形成されていることとしてもよいし、ステンレスやアルミニウム等の金属で形成されていることとしてもよい。
【００３８】
フレーム４０に形成される切欠きは既知の方法を用いて行うことができ、例えば、フレーム４０が石油系樹脂をインジェクション成形により形成される場合、フレーム４０に形成される切欠きはインジェクション成形とともに形成されることとしてもよい。あるいは、当初切欠きを有さないフレームを成形した後に、フレームの所定の位置に切欠きを形成することとしてもよい。
【００３９】
図３Ａは、表示パネル２０をフレーム４０の内側に固定して、表示パネル２０とフレーム４０とが一体となった表示ユニットを形成する、表示ユニット形成工程を行うために、切欠きが形成されたフレーム４０を表示ユニット組み立て治具３００に設置された状態を示す図である。
【００４０】
なお、以下の本発明に係る表示装置の製造方法において、フレーム４０は、表示パネル２０と保護板との間に介在させる部分を含む第一フレーム４０ａと、表示パネル２０の表示面とは反対側に備えられる第二フレーム４０ｂと、からなるものを用いている。
【００４１】
図３Ａに示されるように、表示ユニット組み立て治具３００に設置されたフレーム４０の、表示パネル２０を備える内側面には、予め表示パネル２０の固定のための粘着層１００が備えられることとしてもよい。図３Ａにおいては、粘着層１００は、粘着テープによって形成されている。
【００４２】
図３Ｂは、表示ユニット形成工程について説明する図である。図３Ｂにおける表示ユニット組み立て治具３００の上方には、新たに表示パネル位置決め治具３０１が取り付けられ、表示パネル位置決め治具３０１に表示パネル２０の端部を当てながら、図３Ｂにおける矢印方向に落とし込むことによって、表示パネル２０とフレーム４０との位置が決定される。
【００４３】
そして、粘着層１００を介してフレーム４０と、表示パネル２０とが固定されることによって、フレーム４０と、表示パネル２０とが一体となった表示ユニット５０が形成される。
【００４４】
また、フレーム４０は、例えば、表示パネル２０と表示パネル２０と保護板との間に介在させる部分を含む第一フレーム４０ａとが粘着層１０を介して固定された後、表示パネル位置決め治具３０１を取り外し、第一フレーム４０ａと表示パネル２０の表示面とは反対側に備えられる第二フレーム４０ｂとを組み合わせることによって形成されることとしてもよい。
【００４５】
図３Ｃは、表示パネル固定工程について説明する図である。図３Ｃに示されるように、表示パネル固定工程は、表示ユニット５０を構成するフレーム４０に備えられた複数の切欠き４００に固定具３０２を挿通し、該固定具３０２を表示パネル２０の側面に当接させて、表示ユニット５０を構成する表示パネル２０の位置を直接固定する。
【００４６】
ここで、表示ユニット５０が更に筐体等に覆われる場合、該筐体が図３Ｃにおける固定具３０２の代替として用いられることとしてもよい。
【００４７】
固定具３０２によって固定された表示パネル２０の表示面側に備えられる保護板３０は、光硬化樹脂層２００を介して、表示パネル２０及び／又はフレーム４０と、直接固定されることとしてもよい。図３Ｃにおいては、硬化前の光硬化樹脂層２００が、表示パネル２０及びフレーム４０と接して備えられ、その上方に保護板３０が備えられている。
【００４８】
なお、図３Ｃの状態においては、光硬化樹脂層２００は硬化していないため保護板３０の位置が定まっておらず、保護板３０は表示パネル２０の面方向に自由に動かすことが可能な状態である。
【００４９】
また、フレーム４０は、表示パネル２０を内側に備えた場合、該表示パネル２０の隣り合う二つの側面の、一の側面の一部を露出させる少なくとも二以上（すなわち複数）の切欠き４００（例えば図１における切欠き４００ａ、４００ｂ）と、他の側面の一部を露出させる少なくとも一以上の切欠き４００（例えば図１における切欠き４００ｃ、４００ｄ）を備えることは、本工程において、フレーム４０に備えられた複数の切欠き４００に固定具を挿通し、該固定具を表示パネル２０の側面に当接させて、表示パネル２０の位置を直接固定する際に、強固に表示パネル２０の位置を固定することができ好ましい。
【００５０】
図３Ｄは、保護板位置決め工程について説明する図である。保護板位置決め工程は、表示パネル固定工程にて表示パネル２０の位置を直接固定する固定具３０２を用いて、保護板３０の備える位置を決定する。
【００５１】
前述のように、図３Ｃの状態においては、保護板３０は表示パネル２０の面方向に自由に動かすことが可能な状態である。例えば、このように自由に動かすことができる保護板３０を、表示パネル２０の位置を直接固定する固定具３０２に当接するように動かし（図３Ｄにおける矢印方向に保護板３０を動かし）保護板３０と表示パネル２０との位置関係を決定する。
【００５２】
このように、表示パネル２０と直接当接する固定具３０２を用いて、保護板３０の位置を直接決定することは、表示装置を構成する各部材が、各々の工程を経て備えられることによって、各部材同士の取り付け誤差が累積され、保護板と表示パネルとの位置のずれが大きなものとなることを抑制することとなるので、結果、保護板と表示パネルとの取り付け位置の誤差が抑制されることとなる。
【００５３】
このように、保護板位置決め工程によって保護板３０の備える位置を決定した後、保護板３０と表示パネル２０及び／又はフレーム４０とを固定する、保護板固定工程を更に含むこととしてもよい。例えば、保護板３０の備える位置を決定した後、該位置で保護板３０を維持しつつ、光硬化樹脂層２００に所定の光を照射することによって保護板３０と表示パネル２０及び／又はフレーム４０とを固定することとしてもよい。
【００５４】
次に、本発明に係る表示装置１０の変形例について下記に説明を行う。図４は、本発明の変形例に係る表示装置の一部分解断面図である。
【００５５】
本変形例に係る表示装置１０は、表示パネル２０と保護板３０との間に介在させる部分を含む第一フレーム４０ａと、表示パネル２０の表示面ＤＡとは反対側に備えられる第二フレーム４０ｂと、からなるフレーム４０を備えるものである。そして、第一フレーム４０ａおよび第二フレーム４０ｂのいずれか一方のみが、表示パネル２０の隣り合う二つの側面の一部をそれぞれ露出させる少なくとも二以上の切欠きを備えるものである。
【００５６】
したがって、前述の切欠き形成工程においては、第一フレーム４０ａおよび第二フレーム４０ｂのいずれか一方のみに、表示パネル２０の隣り合う二つの側面の一部をそれぞれ露出させる少なくとも二以上の切欠きを形成することとなる。
【００５７】
また、フレーム４０は、表示パネル２０と保護板３０との間に介在させる部分を含む第一フレーム４０ａと、表示パネル２０の表示面ＤＡとは反対側に備えられる第二フレーム４０ｂと、からなり、第一フレーム４０ａおよび第二フレーム４０ｂのいずれか一方は、表示パネル２０を内側に備えた場合、該表示パネル２０の隣り合う二つの側面の、一の側面の一部を露出させる少なくとも二以上の切欠きと、他の側面の一部を露出させる少なくとも一以上の切欠きと、備えることとしてもよい。
【００５８】
図４に示される表示装置１０は、第一フレーム４０ａの一方のみが、表示パネル２０の隣り合う二つの側面の一部をそれぞれ露出させる少なくとも二以上の切欠きを備えるものである。
【００５９】
このように、複数に分割された部材（第一フレーム４０ａおよび第二フレーム４０ｂ）を組み合わせてフレーム４０を構成する場合において、一方の部材（図４においては第一フレーム４０ａ）のみに切欠き４００を形成することによって、フレームを構成する部材間の嵌合・組み合わせ誤差を考慮せずに表示装置の製造を行うことができ、また、固定具３０２を切欠き４００にスムーズに挿通できるというメリットがある。
【符号の説明】
【００６０】
１０  表示装置、２０  表示パネル、２１  フレキシブル配線基板、２２  偏光板、３０  保護板、３１  遮光印刷、４０  フレーム、４０ａ  第一フレーム、４０ｂ  第二フレーム、５０  表示ユニット、１００  粘着層、２００  光硬化樹脂層、３００  表示ユニット組み立て治具、３０１  表示パネル位置決め治具、３０２  固定具、４００（４００ａ、４００ｂ、４００ｃ、４００ｄ、４００ｅ、４００ｆ、４００ｇ、４００ｈ）  切欠き。
【図１】
2015081977.tif 000003
【図２】
2015081977.tif 000004
【図３Ａ】
2015081977.tif 000005
【図３Ｂ】
2015081977.tif 000006
【図３Ｃ】
2015081977.tif 000007
【図３Ｄ】
2015081977.tif 000008
【図４】
2015081977.tif 000009